(57)【要約】【課題】  穴を塞ぐ蓋を用意することによって安全性の問題を回避する画像形成装置の筐体およびこれを備えた画像形成装置を提供する。【解決手段】  スキャナ部１の別置きを可能にしている画像形成装置の筐体において、その接続部２のアームを取り除いたとき、取り除き後の穴４を塞ぐ蓋８を有する。【選択図】        図３
2006113405.tif 000002
【特許請求の範囲】
【請求項１】
画像形成装置本体に対して接続部を介してスキャナ部を搭載した画像形成装置であって、前記接続部と共に前記スキャナ部を除去した際に、前記画像形成装置本体のスキャナ部設置面に接続用の穴が残留するものにおいて、前記スキャナ部設置面には、前記穴を開閉する蓋を支持したことを特徴とする画像形成装置。
【請求項２】
前記接続部を前記プリンタ部設置面に設置した状態では前記蓋は前記穴を開放しているが、前記接続部を除去した際には前記蓋は前記穴を閉止する方向へ回動するように構成されていることを特徴とする請求項１記載の画像形成装置。
【請求項３】
前記画像形成装置本体は板金部の外面に外装体を配置した構成を備え、前記蓋は前記板金部によって開閉自在に支持されていることを特徴とする請求項１又は２記載の画像形成装置。
【請求項４】
前記画像形成装置本体は板金部の外面に外装体を配置した構成を備え、前記蓋は、前記外装体によって開閉自在に支持されていることを特徴とする請求項１又は２記載の画像形成装置。
【請求項５】
前記蓋には、前記穴を閉止した際に閉止状態を維持するネジを取り付けるためのネジ穴が設けられていることを特徴とする請求項１乃至４の何れか一項に記載の画像形成装置。
【発明の詳細な説明】
【技術分野】
【０００１】
本発明は、スキャナ部を別置き可能にしている画像形成装置の筐体及びこの筐体を備えた画像形成装置に関するものである。
【背景技術】
【０００２】
従来から、複写機、プリンタ等の画像形成装置において、スキャナ部を画像形成装置本体とは別置きにするようにしたタイプが知られており、このタイプにあってはスキャナ部は画像形成装置本体に対して接続部を介して接続されている。
このタイプの画像形成装置にあっては、スキャナ部を装置本体から取り外して、不要となった接続部アームを取り除くと、装置本体側に開口部ができてしまい、外観上、及び安全操作上の問題が発生する。
【発明の開示】
【発明が解決しようとする課題】
【０００３】
そこで、従来は、接続部アームを取り除いたことによって装置本外側に形成される開口部にデカル、紙等を貼って穴を塞いでいた。しかしながら、このようなデカル、紙等を貼ることによって穴を塞ぐことには安全上の問題があった。
そこで、本発明の目的は、上述した実情を考慮して、穴を塞ぐ蓋を用意することによって安全性の問題を回避する画像形成装置の筐体及びこれを備えた画像形成装置を提供することにある。
【課題を解決するための手段】
【０００４】
上記の課題を解決するために、請求項１に記載の発明は、画像形成装置本体に対して接続部を介してスキャナ部を搭載した画像形成装置であって、前記接続部と共に前記スキャナ部を除去した際に、前記画像形成装置本体のスキャナ部設置面に接続用の穴が残留するものにおいて、前記スキャナ部設置面には、前記穴を開閉する蓋を支持したことを特徴とする。
請求項２の発明は、請求項１において、前記接続部を前記プリンタ部設置面に設置した状態では前記蓋は前記穴を開放しているが、前記接続部を除去した際には前記蓋は前記穴を閉止する方向へ回動するように構成されていることを特徴とする。
請求項３の発明は、請求項１又は２において、前記画像形成装置本体は板金部の外面に外装体を配置した構成を備え、前記蓋は前記板金部によって開閉自在に支持されていることを特徴とする。
請求項４の発明は、請求項１又は２において、前記画像形成装置本体は板金部の外面に外装体を配置した構成を備え、前記蓋は、前記外装体によって開閉自在に支持されていることを特徴とする。
請求項５の発明は、請求項１乃至４において、前記蓋には、前記穴を閉止した際に閉止状態を維持するネジを取り付けるためのネジ穴が設けられていることを特徴とする。
【発明の効果】
【０００５】
本発明によれば、スキャナ部の取り外しに伴って現れる穴を塞ぐ蓋が用意されているので、これを用いて穴を塞げば外観上においても安全性においても問題がなくなる。
【発明を実施するための最良の形態】
【０００６】
以下、図面を参照して、本発明の実施の形態を詳細に説明する。図１は本発明に係わる画像形成装置の全体外観を示す概略斜視図である。図２は図１の画像形成装置を円部分の拡大図とともに示す概略分解斜視図である。
図１の画像形成装置は、図２に示すごとく、スキャナ部１、接続部２、プリンタ部（画像形成装置本体）３の構成に分けることができる。スキャナ部１は原稿画像を読取る読取光学系を備えており、プリンタ部は作像部、用紙搬送経路、給紙部、電装部等を備えている。接続部２はプリンタ部３上にスキャナ部１を着脱するための手段である。なお、図１ではＡＤＦがスキャナ部１上に搭載されている例を示している。
図１のままの形態では画像形成装置の背が高過ぎてスキャナ部１が操作しにくい場合に、スキャナ部１をプリンタ部３から取り外して使用したいという要請がある。
このような場合に、スキャナ部１を取り外すと、接続部２も外すことになるが、接続部２を取り外した場合にはプリンタ部３の上面（スキャナ設置面）に穴４が残る。かかる穴４は外観上からも、また、安全上からも塞がなければならない。
図３は図２の拡大した円部分の穴近傍の第１の実施の形態を示す断面図である。図３では外装樹脂（外装体、筐体構造体）５で覆われた筐体板金（板金部）６から回転ヒンジ７を有する蓋８が穴４の近傍に備えられており、接続部２を取り外すとともにこの蓋８を閉じれば穴４を塞ぐことができる。蓋８を穴４に対して閉止状態にて固定するために格別の部材を設けることなく、蓋８の先端部を屈曲させた弾性係止部８ａを利用して穴４の内周縁に弾性係止させればよい。
【０００７】
図４は図２の拡大した円部分の穴近傍の第２の実施の形態を示す断面図である。図４では外装樹脂（筐体構造体）５で覆われた筐体板金（板金部）６の前記蓋８の回転ヒンジ７にはスプリング９が装着されている。スプリング９は、蓋８を閉止方向へ弾性付勢するように構成されている。一方、接続部２をプリンタ部上に設置した状態では、接続部２の構成要素の一部が穴４からその内部に突入した状態で穴４内に嵌合しているため、この一部によって蓋８は開放状態を維持される。
これによって接続部２を取り除くと自動的に蓋が閉じるようになっている。しだって、その蓋８は接続部２の除去によって自動的に飛び出してくるので、穴４の塞ぎを忘れることがない。また、その蓋８は板金の構造体に着いているので非常に堅牢である。
図５は図２の拡大した円部分の穴近傍の第３の実施の形態を示す断面図である。図５では前記蓋８が外装樹脂（エンクロージャ）５に樹脂ヒンジ１０もしくは蝶番を用いて開閉自在に支持されている、すなわち、その蓋８は外装樹脂に着いているので、蓋８を閉じたとき、外観上の違和感がない。
図６は図５の第３の実施の形態の変形例を示す断面図である。図６では前記蓋８にネジ穴部１１を、そして外装樹脂５に上方に突出したネジ穴部１２を形成しているので、蓋８を閉じた後、これらのネジ穴部１１、１２を止めネジ（図示せず）で止めることによって、蓋８をより確実に、また戻らないように固定することができる。
【図面の簡単な説明】
【０００８】
【図１】本発明に係わる画像形成装置の全体外観を示す概略斜視図。
【図２】図１の画像形成装置を円部分の拡大図とともに示す概略分解斜視図。
【図３】図２の拡大した円部分の穴近傍の第１の実施の形態を示す断面図。
【図４】図２の拡大した円部分の穴近傍の第２の実施の形態を示す断面図。
【図５】図２の拡大した円部分の穴近傍の第３の実施の形態を示す断面図。
【図６】図５の第３の実施の形態の変形例を示す断面図。
【符号の説明】
【０００９】
１  スキャナ部、２  接続部（接続部のアーム）、４  穴、５  筐体構造体（エンクロージャ）、６  板金部、８  蓋  、９  スプリング、１０  樹脂ヒンジ、１１  ネジ穴（蓋の）
【図１】
2006113405.tif 000003
【図２】
2006113405.tif 000004
【図３】
2006113405.tif 000005
【図４】
2006113405.tif 000006
【図５】
2006113405.tif 000007
【図６】
2006113405.tif 000008